(57)【特許請求の範囲】
【請求項１】
異なる価値情報を格納する記録媒体と、前記記録媒体の前記価値情報を利用するために前記記録媒体にアクセスするアクセス端末と、を備えた情報処理システムにおいて、
前記価値情報の利用状況を判断する手段と、
判断された前記価値情報の前記利用状況に従って、前記異なる価値情報の中から利用可能な価値情報を判別する手段と、
判別された前記利用可能な価値情報のいずれを利用するかの選択を前記記録媒体のユーザから受け付ける手段と、
前記アクセス端末を介して前記記録媒体にアクセスし、前記選択を受け付ける手段が受け付けた前記価値情報を利用する手段と、
前記選択が受け付けられなかった場合には、規定時間経過時に、規定値で決定されている内容で、利用する価値情報を確定する手段と、
を備える情報処理システム。
【請求項２】
請求項１に記載の情報処理システムにおいて、
前記異なる価値情報の利用の優先順位を予め登録する手段と、をさらに備え、
前記利用する手段は、前記登録する手段により登録された前記優先順位に従って、前記価値情報を利用する情報処理システム。
【請求項３】
請求項１または２に記載の情報処理システムにおいて、
前記利用可能な価値情報のそれぞれの割引率を算出する手段を備える情報処理システム。
【請求項４】
請求項３に記載の情報処理システムにおいて、
前記利用する手段は、前記利用可能な価値情報の前記割引率の高い順に前記価値情報を利用する情報処理システム。
【請求項５】
請求項１乃至４いずれかに記載の情報処理システムにおいて、
前記価値情報の利用履歴を記録する手段をさらに備え、
前記判断する手段は、前記価値情報の前記利用履歴を使用して前記利用状況を判断する情報処理システム。
【請求項６】
請求項５に記載の情報処理システムにおいて、
前記価値情報の前記利用履歴に基づいて、最適な価値情報を判別する手段を備える情報処理システム。
【請求項７】
請求項６に記載の情報処理システムにおいて、
前記利用する手段は、判別された前記最適な価値情報を自動的に利用する情報処理システム。
【請求項８】
請求項１乃至７いずれかに記載の情報処理システムにおいて、
前記記録媒体は、前記ユーザの携帯端末に搭載され、
前記携帯端末は、
前記アクセス端末が前記記録媒体にアクセスできるように前記アクセス端末と無線通信する手段と、
前記利用可能な価値情報または当該価値情報に関する情報を前記ユーザに提示する手段と、
前記提示する手段により提示された前記利用可能な価値情報の中から利用する価値情報の選択を前記ユーザから受け付ける手段と、
選択された前記価値情報を、前記アクセス端末と通信して利用する手段と、を含む情報処理システム。
【請求項９】
請求項１乃至８いずれかに記載の情報処理システムにおいて、
前記記録媒体は、磁気記録媒体、ＩＣ記録媒体、または、携帯端末に搭載されるＩＣ記録媒体である情報処理システム。
【請求項１０】
請求項１乃至９いずれかに記載の情報処理システムにおいて、
前記価値情報は、プリペイド型電子マネー情報、クレジット情報、有価証券情報、デビット情報、ポイント情報、定期券情報、回数券情報、またはクーポン情報を含む情報処理システム。
【請求項１１】
請求項１乃至１０いずれかに記載の情報処理システムにおいて、
前記アクセス端末は、前記記録媒体の前記価値情報を読み書きするリーダライタ装置を備えた自動改札機、券売機、レジ端末、自動販売機、ＰＯＳ端末、入出門ゲート、またはコンピュータを含む情報処理システム。
【請求項１２】
請求項１乃至１１いずれかに記載の情報処理システムにおいて、
前記アクセス端末に接続された管理装置をさらに備え、
前記管理装置は、
前記記録媒体に記録されている前記価値情報を、前記アクセス端末を経由して受信する手段と、
前記価値情報を前記記録媒体の識別情報に関連付けてデータベースに蓄積する手段と、を備える情報処理システム。
【請求項１３】
請求項１乃至１２いずれかに記載の情報処理システムにおいて、
前記利用状況を判断する手段は、有効期限が切れた第１の前記価値情報の残り分を特定し、有効期限内で使用するために最適な前記第１の価値情報の量を算出する情報処理システム。
【請求項１４】
異なる価値情報を格納する記録媒体と、
前記価値情報の利用状況を判断する手段と、
判断された前記価値情報の前記利用状況に従って、前記異なる価値情報の中から利用可能な価値情報を判別する手段と、
判別された前記利用可能な価値情報のいずれを利用するかの選択をユーザから受け付ける手段と、
アクセス端末からの前記記録媒体へのアクセスを受け付け、前記選択を受け付ける手段が受け付けた前記価値情報を利用させる手段と、
前記選択が受け付けられなかった場合には、規定時間経過時に、規定値で決定されている内容で、利用する価値情報を確定する手段と、
を備える携帯端末。
【請求項１５】
異なる価値情報を格納する記録媒体において前記価値情報を利用する情報処理方法であって、
前記価値情報の利用状況を判断する手順、
判断された前記価値情報の前記利用状況に従って、前記異なる価値情報の中から利用可能な価値情報を判別する手順、
判別された前記利用可能な価値情報のいずれを利用するかの選択を前記記録媒体のユーザから受け付ける手順、
前記記録媒体の前記価値情報を利用するアクセス端末から前記記録媒体にアクセスさせ、前記選択を受け付ける手順で受け付けた前記価値情報を利用させる手順、
前記選択が受け付けられなかった場合には、規定時間経過時に、規定値で決定されている内容で、利用する価値情報を確定する手順、
を含む情報処理方法。
【請求項１６】
異なる価値情報を格納する記録媒体にアクセス可能なコンピュータに、
前記価値情報の利用状況を判断する手順、
判断された前記価値情報の前記利用状況に従って、前記異なる価値情報の中から利用可能な価値情報を判別する手順、
判別された前記利用可能な価値情報のいずれを利用するかの選択を前記記録媒体のユーザから受け付ける手順、
前記記録媒体の前記価値情報を利用するアクセス端末から前記記録媒体にアクセスさせ、前記選択を受け付ける手順で受け付けた前記価値情報を利用させる手順、
前記選択が受け付けられなかった場合には、規定時間経過時に、規定値で決定されている内容で、利用する価値情報を確定する手順、
を実行させるためのプログラム。
【発明の詳細な説明】
【技術分野】
【０００１】
本発明は、情報処理システムに関し、特に、記録媒体に格納された価値情報にアクセス可能な情報処理システムに関する。
【背景技術】
【０００２】
近年、磁気カード、ＩＣチップ付きカード、ＩＣチップ付き携帯端末などは、様々な場面で利用可能になり、利用シーンも多岐にわたってきている。ユーザは複数のカードを所持し、それぞれの利用シーン、たとえば、電子マネー決済、クレジット決済、定期券利用、ポイント利用、クーポン利用などにおいて、その場でユーザによってカードと利用方法を画一的に選択されていた。
【０００３】
すなわち、たとえば、自動改札機、電子マネー決済、ＥＴＣ（Electronic Toll Collection）に代表されるような利用シーンにおいて、カードを１回の動作でカードリーダにアクセスさせて画一的な決済処理しかできないとう問題点があった。
【０００４】
このような問題を解決する技術が特許文献に記載されている。特許文献１に記載の携帯電話機を用いた決済システムは、携帯端末とＩＣカード処理装置にて通信を行い、決済処理を行うシステムであって、ユーザの携帯端末ボタンの操作による選択または決済金額によって電子マネー、クレジット、デビットなどの支払い方法を変更できるものである。
【０００５】
また、特許文献２に記載された自動改札機による情報提供システムは、改札口に携帯端末またはＩＣカードをかざすことにより、携帯端末のアプリケーションを起動して、状況に応じた情報をユーザに提供するものである。例として、入場と退場別に必要とされる異なる情報、駅や時間に合わせた情報、利用者の性別、年齢、嗜好などに応じた情報を提供することが記載されている。
【特許文献１】特開２００２−１０９４２７号公報
【特許文献２】特開２００７−１８１５１号公報
【発明の開示】
【発明が解決しようとする課題】
【０００６】
しかしながら、上記文献記載の従来技術は、以下の点で改善の余地を有していた。
たとえば、１回の動作、たとえば、ＩＣカードをリーダライタ装置に接触させたり、通過させたりすることで、全ての処理を確定的に完結してしまわなければならない点である。その理由は、携帯端末装置を所持しているユーザが、そもそも１回の動作を行ったことで、アクセス、たとえばＩＣカードに記録されている価値情報の読み取り、書き込み、変更、削除の単独または複合処理を行うこと、を完結できる程度に簡略化した仕組みしか想定していないためである。
【０００７】
また、たとえば、利用金額に応じて、電子マネーおよびクレジットのいずれで支払うかを選択することは上記文献にも記載されているが、価値情報の割引率や有効期限などを加味した上で、最適な支払い方法を選択することなどは考慮されていなかった。また、支払い方法の選択を、ユーザに択一的または対話的、あるいは対話型択一的に複数の意思表示をさせることは考慮されていなかった。
【０００８】
本発明は上記事情に鑑みてなされたものであり、その目的とするところは、記録媒体に記録された異なる価値情報の中から最適なものをユーザの意志に基づき選択可能な操作性のよい情報処理システム、情報処理方法、コンピュータプログラム、並びに携帯端末を提供することにある。
【課題を解決するための手段】
【０００９】
本発明の情報処理システムは、異なる価値情報を格納する記録媒体と、前記記録媒体の前記価値情報を利用するために前記記録媒体にアクセスするアクセス端末と、を備えた情報処理システムにおいて、
前記価値情報の利用状況を判断する手段と、
判断された前記価値情報の前記利用状況に従って、前記異なる価値情報の中から利用可能な価値情報を判別する手段と、
判別された前記利用可能な価値情報のいずれを利用するかの選択を前記記録媒体のユーザから受け付ける手段と、
前記アクセス端末を介して前記記録媒体にアクセスし、前記選択を受け付ける手段が受け付けた前記価値情報を利用する手段と、を備える。
【００１０】
本発明の携帯端末は、異なる価値情報を格納する記録媒体と、
前記価値情報の利用状況を判断する手段と、
判断された前記価値情報の前記利用状況に従って、前記異なる価値情報の中から利用可能な価値情報を判別する手段と、
判別された前記利用可能な価値情報のいずれを利用するかの選択をユーザから受け付ける手段と、
アクセス端末からの前記記録媒体へのアクセスを受け付け、前記選択を受け付ける手段が受け付けた前記価値情報を利用させる手段と、を備える。
【００１１】
本発明の情報処理方法は、異なる価値情報を格納する記録媒体において前記価値情報を利用する情報処理方法であって、
前記価値情報の利用状況を判断する手順、
判断された前記価値情報の前記利用状況に従って、前記異なる価値情報の中から利用可能な価値情報を判別する手順、
判別された前記利用可能な価値情報のいずれを利用するかの選択を前記記録媒体のユーザから受け付ける手順、
前記記録媒体の前記価値情報を利用するアクセス端末から前記記録媒体にアクセスさせ、前記選択を受け付ける手順で受け付けた前記価値情報を利用させる手順、を含む。
【００１２】
本発明のコンピュータプログラムは、異なる価値情報を格納する記録媒体にアクセス可能なコンピュータに、
前記価値情報の利用状況を判断する手順、
判断された前記価値情報の前記利用状況に従って、前記異なる価値情報の中から利用可能な価値情報を判別する手順、
判別された前記利用可能な価値情報のいずれを利用するかの選択を前記記録媒体のユーザから受け付ける手順、
前記記録媒体の前記価値情報を利用するアクセス端末から前記記録媒体にアクセスさせ、前記選択を受け付ける手順で受け付けた前記価値情報を利用させる手順、を実行させるためのものである。
【００１３】
なお、以上の構成要素の任意の組合せ、本発明の表現を方法、装置、システム、記録媒体、コンピュータプログラムなどの間で変換したものもまた、本発明の態様として有効である。
【００１４】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１５】
また、本発明の情報処理方法およびコンピュータプログラムには複数の手順を順番に記載してあるが、その記載の順番は複数の手順を実行する順番を限定するものではない。このため、本発明の情報処理方法およびコンピュータプログラムを実施するときには、その複数の手順の順番は内容的に支障しない範囲で変更することができる。
【００１６】
さらに、本発明の情報処理方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００１７】
本発明によれば、記録媒体に記録された異なる価値情報の中から最適なものをユーザの意志に基づき選択可能な操作性のよい情報処理システム、情報処理方法、コンピュータプログラム、並びに携帯端末が提供される。
【発明を実施するための最良の形態】
【００１８】
以下、本発明の実施の形態について、図面を用いて説明する。尚、すべての図面において、同様な構成要素には同様の符号を付し、適宜説明を省略する。
【００１９】
図１は、本発明の実施の形態に係る情報処理システム１の構成を示す機能ブロック図である。
本発明の実施の形態に係る情報処理システム１は、異なる価値情報を格納する記録媒体（ＩＣチップ１１０）と、記録媒体（ＩＣチップ１１０）の価値情報を利用するために記録媒体（ＩＣチップ１１０）にアクセスするアクセス端末（リーダライタ装置２００）と、を備えた情報処理システム１において、価値情報の利用状況を判断する判断部１２４と、判断された価値情報の利用状況に従って、異なる価値情報の中から利用可能な価値情報を判別する判別部１２６と、判別された利用可能な価値情報のいずれを利用するかの選択を記録媒体（ＩＣチップ１１０）のユーザから受け付ける受付部１４２と、アクセス端末（リーダライタ装置２００）を介して記録媒体（ＩＣチップ１１０）にアクセスし、選択を受け付ける受付部１４２が受け付けた価値情報を利用するアクセス部１１６と、を備える。
【００２０】
本発明において、記録媒体は、磁気記録媒体（たとえば、磁気カード）、ＩＣ記録媒体（たとえば、ＩＣカード）、または、携帯端末に搭載されるＩＣ記録媒体である。また、携帯端末（携帯端末装置１００）は、たとえば、携帯電話機、ＰＨＳ（Personal Handyphone System）、ＰＤＡ（Personal Digital Assistants）、ゲーム機などである。また、本実施形態では、ＩＣチップ付き携帯電話機を例として以下説明する。
【００２１】
本実施形態において、記録媒体（ＩＣチップ１１０）は、ユーザの携帯端末（携帯端末装置１００）に搭載され、携帯端末（携帯端末装置１００）は、アクセス端末（リーダライタ装置２００）が記録媒体（ＩＣチップ１１０）にアクセスできるようにアクセス端末（リーダライタ装置２００）と無線通信する通信部１１４と、利用可能な価値情報または当該価値情報に関する情報をユーザに提示する提示部１４０と、提示部１４０により提示された利用可能な価値情報の中から利用する価値情報の選択をユーザから受け付ける受付部１４２と、選択された価値情報を、アクセス端末（リーダライタ装置２００）と通信して利用するアクセス部１１６と、を含む。
【００２２】
図２は、図１の携帯端末装置１００のハードウェア構成を示すブロック図である。
本実施形態の携帯端末装置１００は、たとえば、ＩＣチップ付き携帯電話機であり、ＣＰＵ（Central Processing Unit）１５０と、ＲＯＭ（Read Only Memory）１５２と、ＲＡＭ（Random Access Memory）１５４と、通信部１５６と、移動通信用アンテナ１５８と、表示部１６０と、表示制御部１６２と、操作部１６４と、操作受付部１６６と、ＩＣチップ１６８と、ＩＣ用アンテナ１７０と、を備えている。
【００２３】
ＣＰＵ１５０は、携帯端末装置１００の各要素とバス１７２を介して接続され、各要素とともに携帯端末装置１００全体を制御する。ＲＯＭ１５２は、携帯端末装置１００を動作させるためのプログラムや、そのプログラムが動作する際に使用する各種設定データなどを記憶する。ＲＡＭ１５４は、プログラムが動作するための作業領域や、送受信メールのバッファなど一時的にデータを記憶する領域を有する。
【００２４】
操作部１６４は、操作キー、操作ボタン、スイッチ、ジョグダイヤル、タッチパッドなどを含む。操作受付部１６６は、携帯端末装置１００のユーザによる操作部１６４の操作を受け付け、ＣＰＵ１５０に通知する。表示部１６０は、ＬＥＤ（Light Emitting Diode）表示器や、液晶ディスプレイ、有機ＥＬ（ElectroLuminescence）ディスプレイなどを含む。表示制御部１６２は、ＣＰＵ１５０からの指示に従い、表示部１６０に各種画面表示を行う。
【００２５】
通信部１５６は、移動通信用アンテナ１５８を介して、携帯通信網（不図示）に基地局（不図示）を介して接続して通信する。ＩＣチップ１６８は、ＩＣ用アンテナ１７０を介して図１のリーダライタ装置２００と通信する。ＩＣチップ１６８は、微小な無線チップであり、たとえば、ＲＦＩＤ（Radio Frequency IDentification）である。ＲＦＩＤは、固有の情報が書き込まれたメモリ（不図示）を含み、電磁界や電波などを用いた近距離の無線通信によってＩＣ用アンテナ１７０を介してリーダライタ装置２００（図１）と情報をやりとり、書き込みを行うものである。
【００２６】
本実施形態のＩＣチップ１６８は、図１のＩＣチップ１１０に相当し、図１の価値情報記憶部１１２はＩＣチップ１６８のメモリに含まれる。
【００２７】
図１に戻り、本発明において、価値情報記憶部１１２に記憶される価値情報は、プリペイド型電子マネー情報、クレジット情報、有価証券情報、デビット情報、ポイント情報、定期券情報、回数券情報、またはクーポン情報など、異なる複数の価値情報を含むことができる。
【００２８】
本発明において、アクセス端末は、記録媒体（ＩＣチップ１１０）の価値情報を読み書きするリーダライタ装置２００を備えた自動改札機、券売機、レジ端末、自動販売機、ＰＯＳ端末、入出門ゲート、またはコンピュータを含むことができる。
なお、各図において、本発明の本質に関わらない部分の構成については省略してあり、図示されていない。
【００２９】
また、情報処理システム１の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置にはいろいろな変形例があることは、当業者には理解されるところである。以下説明する各図は、ハードウェア単位の構成ではなく、機能単位のブロックを示している。
【００３０】
具体的には、情報処理システム１は、携帯端末装置１００およびリーダライタ装置２００を備えている。携帯端末装置１００は、ＩＣチップ１１０と、利用状況取得部１２０と、利用状況記憶部（図中、「利用状況」と示す）１２２と、判断部１２４と、判別部１２６と、優先順位記憶部（図中、「優先順位」と示す）１２８と、登録部１３０と、提示部１４０と、受付部１４２と、選択部１４４と、を含む。
【００３１】
ＩＣチップ１１０は、価値情報記憶部（図中、「価値情報」と示す）１１２と、通信部１１４と、アクセス部１１６と、を含み、価値情報記憶部１１２に記憶された価値情報を、通信部１１４を介して接続されたリーダライタ装置２００と無線通信することで、アクセス部１１６により読み書きするものである。アクセス部１１６は、リーダライタ装置２００からのアクセスを受け付け、選択部１４４から選択された価値情報の通知を受け、リーダライタ装置２００に利用させる。
【００３２】
リーダライタ装置２００は、ＩＣチップ１１０の価値情報記憶部１１２に記憶された価値情報を利用するためにＩＣチップ１１０にアクセスする。ここで、アクセスとは、たとえば、携帯端末装置１００のＩＣチップ１１０のメモリに格納されている情報の読み取り、書き込み、変更、削除等のいずれか単独またはこれらの組み合わせの処理を行うことである。
【００３３】
携帯端末装置１００において、利用状況取得部１２０は、ＩＣチップ１１０の価値情報をユーザが利用する際の様々な状況の情報を取得し、利用状況記憶部１２２に一時的に記憶する。なお、利用状況取得部１２０が各種情報を価値情報記憶部１１２やアクセス部１１６から取得するが、利用状況によって取得先は様々であり、限定されないため、図中、利用状況取得部１２０への信号ラインは省略してある。
【００３４】
たとえば、ユーザが自動改札機を通過して電車に乗車する場合、利用状況取得部１２０は、通信部１１４を介してアクセス部１１６がリーダライタ装置２００から取得した情報に基づいて、本動作が、ユーザが自動改札機を通過したことを契機としていることを認識する。これにより、利用状況取得部１２０は、判断に必要と考えられる各種の情報を取得する。すなわち、利用状況取得部１２０は、ＩＣチップ１１０が自動改札機に含まれるリーダライタ装置２００と通信を行い、乗車駅や乗車日時、初乗り料金等の情報と、この電車に乗車したときに複数の価値情報の中から利用可能な価値情報が何であるかを判断した上で、価値情報記憶部１１２に記憶される定期券情報、回数券情報、および電子マネー情報を取得する。そして、利用状況取得部１２０は、さらに後述する判断部１２４で使用される定期券情報に含まれる定期券の利用可能区間や有効期限、回数券情報に含まれる回数券の利用可能区間や有効期限、電子マネー情報に含まれる電子マネーの残高金額などの情報などを取得し、価値情報記憶部１１２に記憶する。
【００３５】
判断部１２４は、価値情報の利用状況を判断する。すなわち、利用状況取得部１２０によって取得され、利用状況記憶部１２２に記憶された各種利用状況の情報に基づいて、利用状況を判断する。たとえば、上述のユーザが自動改札機を通過して電車に乗車した場合、判断部１２４は、利用状況記憶部１２２に記憶された乗車駅や乗車日時、初乗り料金等の情報と、定期券情報、回数券情報、および電子マネー情報を取得する。そして、判断部１２４は、定期券情報に含まれる定期券の利用可能区間や有効期限、回数券情報に含まれる回数券の利用可能区間や有効期限、電子マネー情報に含まれる電子マネーの残高金額などの情報から利用状況を判断する。すなわち、乗車駅が、定期券や回数券の利用可能区間であるか否か、乗車日時が定期券や回数券の有効期限内であるか否か、電子マネーの残高金額が初乗り料金以上残っているか否か、などの判断を行う。
【００３６】
判別部１２６は、判断部１２４によって判断された価値情報の利用状況に従って、異なる価値情報の中から利用可能な価値情報を判別する。たとえば、乗車駅が定期券の利用区間でなければ、定期券は利用可能な価値情報でないと判別する。乗車駅が回数券の利用区間内であれば、回数券は利用可能な価値情報と判別する。電子マネーの残高金額が初乗り料金以上残っていれば、電子マネーが利用可能な価値情報と判別する。すなわち、判別部１２６によって、回数券および電子マネーが利用可能な価値情報として判別され、定期券は利用不可能な価値情報として判別されることとなる。
【００３７】
優先順位記憶部１２８は、異なる価値情報の利用の優先順位を記憶する。登録部１３０は、後述する受付部１４２が受け付けたユーザによって指定した各価値情報の利用の優先順位の設定に従って、異なる価値情報の利用の優先順位を優先順位記憶部１２８に登録する。また、優先順位記憶部１２８には、初期値として各価値情報の利用の優先順位を予め記憶しておくこともできる。すなわち、ユーザからの指定がない場合に、初期値の優先順位が使用されることとなる。あるいは、事前にユーザがいずれの価値情報を使用するかの選択を受付部１４２が受け付け、優先順位記憶部１２８に規定値として登録することもできる。本実施形態においては、規定値として登録する場合について説明する。
【００３８】
そして、上述した判別部１２６は、さらに、優先順位記憶部１２８にアクセスし、利用可能と判断された優先順位に従って、利用可能と判別した価値情報の優先順位を決定する。
【００３９】
提示部１４０は、判別部１２６によって判別された利用可能な価値情報をユーザに提示する。たとえば、提示部１４０は、図２の表示部１６０に図７（ａ）に示すような価値情報選択画面５００を表示し、利用可能価値情報選択欄５０４として、利用可能な価値情報を表示する。また、利用可能な価値情報は、優先順位記憶部１２８にて指定されている優先順位に従って、ユーザに提示するのがより好ましい。あるいは、ユーザが選択を意図的にしないことも可能であり、その場合、アクセス部１１６は、優先順位記憶部１２８にて指定されている優先順位または規定値にしたがって、自動的に利用する価値情報を選択してアクセスすることができる。
【００４０】
受付部１４２は、図２の表示部１６０に表示された各種設定画面や操作画面上で、ユーザによる図２の操作部１６４の操作を受け付ける。受付部１４２は、図２の操作受付部１６６に相当する。たとえば、図７（ａ）の価値情報選択画面５００の操作指示メッセージ欄５０２のメッセージに従って、ユーザは、携帯端末装置１００の数字ボタンを操作し、利用可能価値情報選択欄５０４に表示された複数の価値情報の中から使用する価値情報を選択することができる。この選択された価値情報を受付部１４２は受け付けて選択部１４４に通知する。選択部１４４は、受付部１４２が受け付けたユーザによって選択された価値情報をアクセス部１１６に通知し、アクセス部１１６に価値情報記憶部１１２に記憶されている複数の価値情報の中から使用する価値情報を選択させる。
【００４１】
このように構成された本実施形態の情報処理システム１の動作について、以下に説明する。
図３は、本実施形態の情報処理システム１の動作の一例を示すフローチャートである。
本実施の形態の情報処理システム１は、携帯端末装置１００に実装されているコンピュータプログラムに対応して各種の処理動作を実行することにより、前述のような各種手段１１０〜１４４が各種機能として実現されている。
【００４２】
本実施形態のコンピュータプログラムは、異なる価値情報を格納する記録媒体（ＩＣチップ１１０）にアクセス可能なコンピュータ（携帯端末装置１００）に、価値情報の利用状況を判断する手順（Ｓ２１）、判断された価値情報の利用状況に従って、異なる価値情報の中から利用可能な価値情報を判別する手順（Ｓ２３）、判別された利用可能な価値情報のいずれを利用するかの選択を記録媒体（ＩＣチップ１１０）のユーザから受け付ける手順（Ｓ２９）、記録媒体（ＩＣチップ１１０）の価値情報を利用するアクセス端末（リーダライタ装置２００）から記録媒体（ＩＣチップ１１０）にアクセスさせ、選択を受け付ける手順（Ｓ２９）で受け付けた価値情報を利用させる手順（Ｓ３１およびＳ３３）、を実行させるように記述されている。
【００４３】
本実施形態において、コンピュータプログラムは、たとえば、携帯端末装置１００がリーダライタ装置２００と通信を行うことを契機に起動されるようにしてもよい。
【００４４】
上述のような構成において、本実施の形態の情報処理システム１による情報処理方法を以下に説明する。
【００４５】
本実施形態の情報処理方法は、異なる価値情報を格納する記録媒体において価値情報を利用する情報処理方法であって、価値情報の利用状況を判断する手順（Ｓ２１）、判断された価値情報の利用状況に従って、異なる価値情報の中から利用可能な価値情報を判別する手順（Ｓ２３）、判別された利用可能な価値情報のいずれを利用するかの選択を記録媒体のユーザから受け付ける手順（Ｓ２９）、記録媒体の価値情報を利用するアクセス端末から記録媒体にアクセスさせ、選択を受け付ける手順（Ｓ２９）で受け付けた価値情報を利用させる手順（Ｓ３１およびＳ３３）、を含む。
【００４６】
具体的には、図３に示すように、はじめに、携帯端末装置１００において、事前にユーザが、いずれの価値情報を使うかの意思表示の決定を行うか否かによって、処理が分かれる。すなわち、事前にユーザが、いずれの価値情報を使うかの意思表示を決定しない場合（Ｓ１１のＮＯ）、ステップＳ１３〜Ｓ１５はバイパスし、ステップＳ１７へ進む。一方、事前にユーザが、いずれの価値情報を使うかの意思表示の決定を行う場合（Ｓ１１のＹＥＳ）、ステップＳ１３へ進む。
【００４７】
そして、ステップＳ１３では、受付部１４２が、事前にユーザがいずれの価値情報を使用するかの選択を受け付け、登録部１３０が優先順位記憶部１２８に規定値として登録する（Ｓ１５）。そして、ステップＳ１７に進み、携帯端末装置１００のＩＣチップ１１０へのリーダライタ装置２００からのアクセスを待機する（Ｓ１７のＮＯ）。このとき、ユーザは携帯端末装置１００を携行し、価値情報の利用を待機している状態である。
【００４８】
そして、ユーザがリーダライタ装置２００の側を通過、またはリーダライタ装置２００に携帯端末装置１００を接近させてＩＣチップ１１０の情報の読み取りを実行させたとき、あるいは、磁気カードやＩＣカードの場合、リーダライタ装置２００に読み取らせたときに、リーダライタ装置２００からのアクセス要求により（Ｓ５１）、リーダライタ装置２００と通信部１１４を介して通信が行われ、アクセス部１１６が通信部１１４を介してリーダライタ装置２００からのアクセスを検知し（Ｓ１７のＹＥＳ）、ステップＳ１９へ進む。
【００４９】
なお、リーダライタ装置２００から携帯端末装置１００のＩＣチップ１１０へのアクセスとは、たとえば、携帯端末装置１００のＩＣチップ１１０のメモリに格納されている情報の読み取り、書き込み、変更、削除等のいずれか単独またはこれらの組み合わせの処理を行うことである。
【００５０】
そして、利用状況取得部１２０が利用状況を取得し、利用状況記憶部１２２に一時的に記憶する（Ｓ１９）。そして、判断部１２４が利用状況記憶部１２２にアクセスし、利用状況を判断する（Ｓ２１）。そして、判別部１２６が、利用状況記憶部１２２にアクセスし、現在の利用状況に従って、利用可能な価値情報を判別する（Ｓ２３）。
【００５１】
そして、ステップＳ２３で判別された利用可能な価値情報が、たとえば、複数あり、ユーザによって選択可能な場合（Ｓ２５のＹＥＳ）、たとえば、図７（ａ）に示す価値情報選択画面５００を携帯端末装置１００の表示部１６０に表示させてユーザに利用可能な価値情報を提示して、選択を促す（Ｓ２７）。そして、たとえば、ユーザが操作部１６４を操作して、利用可能価値情報選択欄５０４に提示された数字の中から利用する価値情報に対応する数字を選択し、受付部１４２が受け付けると（Ｓ２９）、利用する価値情報の選択を選択部１４４がアクセス部１１６に通知して、アクセス部１１６が通信部１１４を介してリーダライタ装置２００に通知する（Ｓ３１）。
【００５２】
そして、リーダライタ装置２００では、携帯端末装置１００から使用する価値情報を受信し（Ｓ５３）、受信した使用する価値情報を利用するために、リーダライタ装置２００が、通信部１１４を介してアクセス部１１６に価値情報記憶部１１２へアクセスさせる（Ｓ５５）。携帯端末装置１００では、リーダライタ装置２００からのアクセス要求に応じて、アクセス部１１６が価値情報記憶部１１２に記憶されている価値情報の中から使用する価値情報へアクセスさせる（Ｓ３３）。
【００５３】
また、ステップＳ２５において、利用可能な価値情報をユーザが選択する余地がない場合や予め使用する価値情報が事前に登録されているような場合、あるいは、ユーザが未確定のまま処理が進んだ場合など（Ｓ２５のＮＯ）、ステップＳ３５へ進む。
【００５４】
ユーザによる事前登録がなされている場合（Ｓ３５のＹＥＳ）、事前に登録された価値情報を利用することに確定され（Ｓ３７）、ステップＳ３１に進む。一方、事前登録がなされていない場合（Ｓ３５のＮＯ）、時刻や他のイベントを契機に使用する価値情報を決定し（Ｓ３９）、ステップＳ３１へ進む。
【００５５】
以上説明したように、本発明の実施の形態の情報処理システム１によれば、携帯端末装置１００において、ＩＣチップ１１０の価値情報記憶部１１２に格納されている複数の価値情報の中からいずれを利用するかを、ユーザに択一的または対話的、または対話型択一的に複数の意思表示をさせることができる。
【００５６】
以上、図面を参照して本発明の実施形態について述べたが、これらは本発明の例示であり、上記以外の様々な構成を採用することもできる。
たとえば、上記実施形態では、情報処理システム１の携帯端末装置１００に本発明の実施形態に係るコンピュータプログラムをインストールして実行させる構成としたが、これに限定されるものではなく、たとえば、リーダライタ装置２００を介して接続される他のコンピュータ上で本発明の情報処理システム１のコンピュータプログラムを実行させ、リーダライタ装置２００を介して携帯端末装置１００のＩＣチップ１１０にアクセスし、相互に必要な情報を送受信しながら、他のコンピュータ上から、携帯端末装置１００の表示部１６０や操作部１６４を制御して、操作はユーザに携帯端末装置１００でさせることで、ユーザの意思表示を選択させるように構成することもできる。
【００５７】
他の実施形態の情報処理システムにおいて、アクセス端末（リーダライタ装置２００）に接続された管理装置（不図示）をさらに備え、管理装置は、記録媒体（ＩＣチップ１１０）に記録されている価値情報を、アクセス端末（リーダライタ装置２００）を経由して受信する受信部（不図示）と、価値情報を記録媒体（ＩＣチップ１１０）の識別情報に関連付けてデータベース（不図示）に蓄積する蓄積部（不図示）と、を備えてもよい。
【００５８】
また、上記実施形態において、ユーザに利用する価値情報の選択を促す画面を携帯端末装置１００の表示部１６０に表示する場合について、説明したが、これに限定されない。たとえば、リーダライタ装置２００に接続された外部端末（不図示）の表示部、たとえば、コンビニエンスストアなどのレジスタの表示部など、に表示させ、ユーザがタッチパネルにタッチ、または店員が操作することで選択を受け付けることもできる。外部端末上で選択された価値情報は、リーダライタ装置２００から携帯端末装置１００に通信部１１４を介して送信することができる。
【００５９】
また、他の実施形態において、回数券やクーポン、ポイント割引などの使用履歴から最適な価値情報の利用ケースを求め、ユーザに通知する構成とすることができる。
【００６０】
他の実施形態の情報処理システムにおいて、利用可能な価値情報のそれぞれの割引率を算出する算出部（不図示）を備えることができる。また、価値情報を利用するアクセス部１１６は、利用可能な価値情報の割引率の高い順に価値情報を利用してもよい。さらに、他の実施形態の情報処理システムは、価値情報の利用履歴を記録する記録部（不図示）をさらに備えてもよく、判断部１２４は、価値情報の利用履歴を使用して利用状況を判断することができる。また、他の実施形態の情報処理システムは、価値情報の利用履歴に基づいて、最適な価値情報を判別する判別部（不図示）をさらに備えてもよい。また、アクセス部１１６は、判別された最適な価値情報を自動的に利用することができる。また、提示部１４０は、判別された最適な価値情報をユーザに提示することもできる。
【００６１】
ここで、回数券を例として、説明する。たとえば、ＩＣチップ付き携帯電話機１００ａのＩＣチップ１１０の価値情報記憶部１１２に格納される回数券は、たとえば、５枚組、１０枚組、等、複数種の購入形態があり、それぞれ割引率、あるいは、有効利用期間も異なるものとする。
【００６２】
利用状況取得部１２０および判断部１２４は、ユーザがＩＣチップ付き携帯電話機１００ａのＩＣチップ１１０の価値情報記憶部１１２に保持していた回数券の有効期限が切れてしまった回数券の残り回数を取得し、さらに、記録部に記録された使用履歴を参照して、ユーザの所定区間の利用頻度などを統計的に集計し、有効期限内では、何回分の回数券の発行が適切かを計測する。
【００６３】
たとえば、所定回数以上の回数券が使用されている区間にて、所定の期間内に回数券の有効期限が切れた頻度が閾値を超えたか否かを判別し、閾値を超えた場合に、従来の回数券の枚数から、最も多かった期限切れの残り回数を減じたものを次回以降の回数券の枚数にする、などの処理を行うことができる。
【００６４】
なお、上記実施形態を構成する手段は、リーダライタ装置２００、またはリーダライタ装置２００に接続されたサーバ装置、あるいは、ＩＣチップ付き携帯電話機１００ａのいずれかに備えることができる。
【００６５】
また、回数券を全部使い終わったタイミングで、次回以降の、最適な回数券の購入枚数をユーザに通知する通知部（不図示）を設けてもよい。通知部は、ＩＣチップ付き携帯電話機１００ａの表示部１６０への表示、ユーザが予め指定したメールアドレスへのメール送信、本システムを利用する会員向けのウェブサイト上への通知など、様々な形態が考えられる。
【００６６】
さらに、回数券の購入手続き画面を表示部１６０に表示し、画面の指示に従って、操作することで、ＩＣチップ付き携帯電話機１００ａ上で回数券の購入手続きを行うこともできる。
【実施例】
【００６７】
（実施例１）
図４は、本発明の第１実施例の構成を示すブロック図である。
本実施例において、携帯端末装置１００は、ＩＣチップ付き携帯電話機１００ａであり、リーダライタ装置２００は、自動改札機３００に内蔵されている。さらに、リーダライタ装置２００は、センターデータベース４００にネットワーク（不図示）などを介して接続され、リーダライタ装置２００がＩＣチップ付き携帯電話機１００ａから取得した情報を価値情報データベース（ＤＢ）４２０に蓄積する。センターデータベース４００は、価値情報データベース４２０に蓄積される情報を管理する。
【００６８】
ＩＣチップ付き携帯電話機１００ａは、端末ＩＤ記憶部（図中、「端末ＩＤ」と示す）１８０と、価値情報記憶部１１２を含むＩＣチップ１１０を備える。端末ＩＤ記憶部１８０には、ＩＣチップ付き携帯電話機１００ａを識別する端末ＩＤが格納される。本実施例において、端末ＩＤは、１２３４５６７８９０とする。
【００６９】
本実施例において、価値情報記憶部１１２には、価値情報として、定期券情報１８２、回数券情報１８４、電子マネー情報１８６が格納されている。そして、リーダライタ装置２００によってＩＣチップ付き携帯電話機１００ａから読み取られた価値情報と端末ＩＤは、ＩＣチップ付き携帯電話機１００ａの端末ＩＤと価値情報を関連付けて端末別価値情報４３０として価値情報データベース４２０に格納される。端末別価値情報４３０は、端末ＩＤ４３１ごとに、各種価値情報、たとえば、定期券情報４３２、回数券情報４３３、電子マネー情報４３４、ポイント情報４３５などを含む。
【００７０】
本実施例において、ＩＣチップ付き携帯電話機１００ａに対応する端末別価値情報４３０は、図５（ａ）に示すような情報が保持しているものとする。
【００７１】
以下、本実施例の情報処理システム１の動作について説明する。
図６は、本実施例の情報処理システム１の動作の一例を示すフローチャートである。以下、図１、図２、および図４〜図７を用いて説明する。ここでは、池袋駅から田端駅まで回数券を使って電車に乗車する場合の動作について説明する。
【００７２】
まず、端末ＩＤが１２３４５６７８９０であるＩＣチップ付き携帯電話機１００ａを、池袋駅の自動改札機３００のＩＣ読取部（不図示）にユーザがタッチして入る（Ｓ１０１）。なお、乗車日は、２００７年８月１５日とする。このとき、ＩＣチップ付き携帯電話機１００ａと自動改札機３００のリーダライタ装置２００との間で通信が行われ、ＩＣチップ付き携帯電話機１００ａのＩＣチップ１１０の情報がリーダライタ装置２００を介して、センターデータベース４００に送信され、センターデータベース４００にユーザの池袋駅における入場が受け付けられ、管理される。
【００７３】
そして、ＩＣチップ付き携帯電話機１００ａにおいて、本実施形態のコンピュータプログラムが起動され、利用状況取得部１２０が、通信部１１４を介してアクセス部１１６がリーダライタ装置２００から取得した乗車駅の情報とともに、自動改札機３００をユーザが通過した動作を契機としてプログラムが起動されていることを認識し、それにより、判断に必要と考えられる各種の情報、すなわち、定期券情報１８２、回数券情報１８４、電子マネー情報１８６を価値情報記憶部１１２から取得する（Ｓ１０３）。
【００７４】
そして、判断部１２４が、乗車駅である池袋駅は、定期券の区間外であること、回数券は、区間内かつ有効期限内であること、そして、電子マネーは乗車駅からの初乗り料金以上の残高が残っていることを判断する（Ｓ１０５）。そして、判別部１２６は、定期券は利用できず、回数券と電子マネーのどちらかが利用可能であると判別する（Ｓ１０７）。
【００７５】
そして、提示部１４０は、ＩＣチップ付き携帯電話機１００ａの表示部１６０に図７（ａ）に示す価値情報選択画面５００を表示する（Ｓ１０９）。これにより、ユーザに回数券および電子マネーのどちらかが利用可能であることを通知するとともに、いずれを選択するかの選択を促すこととなる。
【００７６】
ユーザが価値情報選択画面５００の指示に従って、回数券および電子マネーのいずれを使用するかを決定し、操作部１６４を操作する（Ｓ１１１）。あるいは、この時点は、何も選択しないことも可能である。受付部１４２が選択の操作を受け付け、選択部１４４が選択された価値情報をアクセス部１１６に伝える。
【００７７】
たとえば、回数券が選択された場合（Ｓ１１３の回数券）、アクセス部１１６は、選択部１４４から回数券が選択された旨の通知を受け、価値情報記憶部１１２にアクセスし、価値情報の回数券情報１８４の回数券１枚を使用中と記録し（Ｓ１１５）、ステップＳ１２１に進む。また、電子マネーが選択された場合（Ｓ１１３の電子マネー）、アクセス部１１６は、選択部１４４から電子マネーが選択された旨と通知を受け、価値情報記憶部１１２にアクセスし、価値情報の電子マネー情報１８６の残金から初乗り料金分を減額し（Ｓ１１７）、ステップＳ１２１に進む。さらに、この時は、ユーザが何も選択しなかった場合（Ｓ１１３の選択なし）、規定時間が経過時に、規定値で決定されている内容で、使用する価値情報を確定するものとし（Ｓ１１９）、ステップＳ１２１に進む。
【００７８】
そして、ユーザは、池袋から田端まで電車に乗車したとする（Ｓ１２１）。そして、田端駅で下車し、自動改札機３００にタッチして出てくる（Ｓ１２３）。このとき、ＩＣチップ付き携帯電話機１００ａと自動改札機３００のリーダライタ装置２００との間で通信が行われ、ＩＣチップ付き携帯電話機１００ａのＩＣチップ１１０の情報がリーダライタ装置２００を介して、センターデータベース４００に送信され、センターデータベース４００にユーザの田端駅における退場が受け付けられ、管理される。
【００７９】
そして、上記までに選択された、または、事後的にユーザが選択した、あるいは、規定値によって確定した、使用する価値情報によって、処理が分岐する。すなわち、回数券が選択されていた場合（Ｓ１２５の回数券）、価値情報の回数券情報１８４の回数券１枚使用中の情報を削除し、結果的に回数券の残り枚数が４枚となり（Ｓ１２９）、終了する。電子マネーが選択されていた場合（Ｓ１２５の電子マネー）、価値情報の電子マネー情報１８６から実際の乗車料金が精算され（Ｓ１３１）、終了する。また、選択なしの場合（Ｓ１２５の選択なし）、規定値で決定されている内容で確定される（Ｓ１２７）。
【００８０】
次に、田端駅から田町駅まで定期券使って電車に乗車する場合の動作について説明する。図８および図９は、本実施例の情報処理システム１の動作の一例を示すフローチャートである。以下、図１、図２、図４、図５、および、図７〜図９を用いて説明する。なお、図６と同じステップには同じ符号を付し、詳細な説明は省略する。
【００８１】
まず、受付部１４２が受け付けたユーザの指示操作に基づいて、登録部１３０が、事前に、定期券で改札を通ることを規定値として優先順位記憶部１２８に登録する（Ｓ１５１）。そして、端末ＩＤが１２３４５６７８９０であるＩＣチップ付き携帯電話機１００ａを、田端駅の自動改札機３００にユーザがタッチして入る（Ｓ１５３）。このとき、ＩＣチップ付き携帯電話機１００ａと自動改札機３００のリーダライタ装置２００との間で通信が行われ、ＩＣチップ付き携帯電話機１００ａのＩＣチップ１１０の情報がリーダライタ装置２００を介して、センターデータベース４００に送信され、センターデータベース４００にユーザの田端駅における入場が受け付けられ、管理される。
【００８２】
そして、ステップＳ１０３の後、判断部１２４が、乗車駅である田端駅は、定期券の区間内であること、回数券は、区間内かつ有効期限内であること、そして、電子マネーは乗車駅からの初乗り料金以上の残高が残っていることを判断する（Ｓ１５５）。そして、判別部１２６は、定期券、回数券、および電子マネーの全てが利用可能であると判別する（Ｓ１５７）。
【００８３】
そして、提示部１４０は、ＩＣチップ付き携帯電話機１００ａの表示部１６０に、定期券、回数券、および電子マネーのいずれを使用するかの選択を促す価値情報選択画面を表示する（Ｓ１５９）。これにより、ユーザに定期券、回数券、および電子マネーの全てが利用可能であることを通知するとともに、いずれを選択するかの選択を促すこととなる。
【００８４】
ユーザが価値情報選択画面の指示に従って、いずれの価値情報を使用するかを決定し、操作部１６４を操作する（Ｓ１６１）。あるいは、この時点は、何も選択しないことも可能である。受付部１４２が選択の操作を受け付け、選択部１４４が選択された価値情報をアクセス部１１６に伝える。
【００８５】
ここで、いずれかの価値情報が選択された場合（Ｓ１６３のＹＥＳ）、選択された価値情報で図６のＳ１１５やＳ１１７と同様な処理が行われ（Ｓ１６７）、ステップＳ１６９に進む。一方、何も選択されなかった場合（Ｓ１６３のＮＯ）、ステップＳ１５１で事前に優先順位記憶部１２８に登録されていた規定値の定期券が暫定的に選択され（Ｓ１６５）、ステップＳ１６９に進む。
【００８６】
そして、ユーザは、田端から田町まで電車に乗車したとする（Ｓ１６９）。そして、田町駅で下車し、自動改札機３００にタッチして出てくる（Ｓ１７１）。このとき、ＩＣチップ付き携帯電話機１００ａと自動改札機３００のリーダライタ装置２００との間で通信が行われ、ＩＣチップ付き携帯電話機１００ａのＩＣチップ１１０の情報がリーダライタ装置２００を介して、センターデータベース４００に送信され、センターデータベース４００にユーザの田町駅における退場が受け付けられ、管理される。
【００８７】
そして、再度、利用状況取得部１２０が、通信部１１４を介してアクセス部１１６がリーダライタ装置２００から取得した下車駅の情報とともに、自動改札機３００をユーザが通過した動作を契機としてプログラムが起動されていることを認識し、それにより、判断に必要と考えられる各種の情報、すなわち、定期券情報、回数券情報、電子マネー情報を価値情報記憶部１１２から取得する（Ｓ１７３）。
【００８８】
そして、判断部１２４が、下車駅である田町駅は、定期券の区間内であること、回数券は、区間外であること、そして、電子マネーは乗車区間利用料金以上の残高が残っていることを判断する（Ｓ１７５）。そして、判別部１２６は、回数券は利用できず、定期券と電子マネーのどちらかが利用可能であると判別する（Ｓ１７７）。
【００８９】
そして、上記までに選択された、または、事後的にユーザが選択した、あるいは、規定値によって確定した、使用する価値情報によって、処理が分岐する。すなわち、価値情報の選択が既になされている場合（Ｓ１７９のＹＥＳ）、ステップＳ１８３に進む。一方、価値情報の選択が未だになされていない場合（Ｓ１７９のＮＯ）、ステップＳ１８１に進む。ステップＳ１８１では、規定値である定期券利用を確定し、価値情報記憶部１１２の価値情報の回数券情報１８４および電子マネー情報１８６などは変化しない（Ｓ１８１）。そして、終了する。
【００９０】
ステップＳ１８３では、使用する価値情報によって、さらに処理を分岐される。すなわち、定期券が選択されている場合、ステップＳ１８１に進む。回数券が選択されている場合、回数券は利用できないことをユーザに警告し、定期券および電子マネーのいずれを使用するかの選択を促す警告および選択画面５２０（図７（ｂ））をＩＣチップ付き携帯電話機１００ａの表示部１６０に表示する（Ｓ１８５）。ユーザは、警告および選択画面５２０の警告メッセージ欄５２２に表示された警告メッセージにより、回数券が使用できないことを認識することができる。また、警告および選択画面５２０の操作指示メッセージ欄５２４により、さらに使用する価値情報を選択することを促される。このとき、利用可能価値情報選択欄５２６には、定期券と電子マネーが表示されるが、定期券が推奨されることを示す推奨指示欄５２８が併せて表示され（Ｓ１８５）、ステップＳ１８７に進む。一方、ステップＳ１８３で、電子マネーが選択された場合、図６と同様のステップＳ１３１に進み、その後終了する。
【００９１】
ステップＳ１８７では、ユーザが警告および選択画面５２０に従って、いずれの価値情報を使用するかを決定し、操作部１６４を操作する。そして、使用する価値情報の選択に応じて、さらに処理が分岐する。すなわち、定期券の場合、ステップＳ１８１に進む。電子マネーの場合ステップＳ１３１に進む。
【００９２】
また、選択なしの場合、一定時間経過後に、規定値で精算処理される、または、不確定状態となり、窓口やその他の方法で精算するまで、ＩＣチップ付き携帯電話機１００ａのＩＣチップ１１０は、動作せず、ＩＣチップ付き携帯電話機１００ａを使用できなくする（Ｓ１８９）。
【００９３】
（実施例２）
本実施例において、携帯端末装置１００は、上記実施例と同様に、ＩＣチップ付き携帯電話機１００ａであり、リーダライタ装置２００は、スーパーやコンビニエンスストアなどのレジスタ（不図示）に内蔵されているものとする。さらに、図４と同様に、ＩＣチップ付き携帯電話機１００ａは、センターデータベース４００にネットワークなどを介して接続され、リーダライタ装置２００がＩＣチップ付き携帯電話機１００ａから取得した情報を価値情報データベース４２０に蓄積する。センターデータベース４００は、価値情報データベース４２０に蓄積される情報を管理する。
【００９４】
以下、本実施例の情報処理システム１の動作について説明する。図１０は、本実施例の情報処理システム１の動作の一例を示すフローチャートである。以下、図１、図２、図４、図５、図１０を用いて説明する。ここでは、ユーザがスーパーの店舗Ａで商品を購入する場合の動作について説明する。このスーパーでは、電子マネーによる買い物が可能であるとともに、ユーザはこのスーパーの会員になっており、会員のポイントを利用しても買い物が可能であるものとする。
【００９５】
また、本実施例において、ＩＣチップ付き携帯電話機１００ａに対応する端末別価値情報４３０は、図５（ｂ）に示すような情報が保持しているものとする。すなわち、端末別価値情報４３０のポイント情報４３５が１０００ポイント溜まっている。なお、本実施形態では、ポイント情報にはポイント残高のみが含まれているが、これに限定されず、ポイントの有効期限を含み、有効期限を利用状況の判断に用いることもできる。
【００９６】
まず、店舗Ａの会計でレジスタに必要な情報を店員が入力する。入力された情報、ここでは、商品およびその金額、すなわち１００円の消しゴムを購入したことを示す情報をレジスタが受け付ける（Ｓ２０１）。そして、決済のために、レジスタのＩＣ読取部（不図示）にＩＣチップ付き携帯電話機１００ａでタッチする（Ｓ２０３）。このとき、ＩＣチップ付き携帯電話機１００ａとレジスタのリーダライタ装置２００との間で通信が行われ、ＩＣチップ付き携帯電話機１００ａのＩＣチップ１１０の情報がリーダライタ装置２００を介して、センターデータベース４００に送信され、センターデータベース４００にユーザの店舗Ａにおける決済が受け付けられ、管理される。
【００９７】
そして、ＩＣチップ付き携帯電話機１００ａにおいて、本実施形態のコンピュータプログラムが起動される。利用状況取得部１２０が、通信部１１４を介してアクセス部１１６がリーダライタ装置２００から取得した店舗情報によりユーザがスーパーで商品購入をしたことを契機としてプログラムが起動されていることを認識し、それにより、判断に必要と考えられる各種の情報、すなわち、店舗Ａでは、電子マネーとポイント利用の両方が可能であること、決済金額、電子マネー情報、ポイント情報を価値情報記憶部１１２から取得する（Ｓ２０５）。
【００９８】
そして、判断部１２４が、電子マネーの残高、およびポイント残高がともに決済金額以上であることを判断する（Ｓ２０７）。そして、判別部１２６が、電子マネーとポイントのどちらも利用可能であると判別する（Ｓ２０９）。そして、提示部１４０は、ＩＣチップ付き携帯電話機１００ａの表示部１６０に、価値情報選択画面を表示する（Ｓ２１１）。これにより、ユーザに、電子マネーおよびポイントのどちらも利用可能であることを通知するとともに、いずれを選択するかの選択を促すこととなる。
【００９９】
ユーザが価値情報選択画面の指示に従って、電子マネーおよびポイントのいずれを使用するかを決定し、操作部１６４を操作する（Ｓ２１３）。選択された価値情報は受付部１４２によって受け付けられ、選択部１４４によってアクセス部１１６に通知される。ここでは、選択された価値情報によって、処理が分岐する。すなわち、電子マネーが選択された場合（Ｓ２１５の電子マネー）、アクセス部１１６が、価値情報記憶部１１２の価値情報から電子マネー情報の残高から決済金額だけ引き去る。すなわち、電子マネーの残高１０，０００円から１００円が減額され、残高が９，９００円として、ＩＣチップ１１０の価値情報記憶部１１２の電子マネー情報に記録され（Ｓ２１７）、終了する。
【０１００】
一方、ポイントが選択された場合（Ｓ２１５のポイント）、アクセス部１１６が、価値情報記憶部１１２の価値情報からポイント情報の残高から決済金額に充当する分だけを引き去る。すなわち、ポイントの残高１０００ポイントから１００円に相当する１００ポイントが減額され、残高が９００ポイントとして、ＩＣチップ１１０の価値情報記憶部１１２のポイント情報に記録され（Ｓ２１９）、終了する。
【０１０１】
なお、たとえば、代金の一部を、ポイントを利用して決済した後、さらに、残りを電子マネーで決済するなど、複数の価値情報を組み合わせて利用することも可能であり、その場合、上記ステップＳ２１３において、利用金額の入力をレジスタを介して受け付け、ＩＣチップ付き携帯電話機１００ａに通知し、さらにステップＳ２１３〜ステップＳ２１９を、適宜繰り返せばよい。
以下、参考形態の例を付記する。
１．  異なる価値情報を格納する記録媒体と、前記記録媒体の前記価値情報を利用するために前記記録媒体にアクセスするアクセス端末と、を備えた情報処理システムにおいて、
前記価値情報の利用状況を判断する手段と、
判断された前記価値情報の前記利用状況に従って、前記異なる価値情報の中から利用可能な価値情報を判別する手段と、
判別された前記利用可能な価値情報のいずれを利用するかの選択を前記記録媒体のユーザから受け付ける手段と、
前記アクセス端末を介して前記記録媒体にアクセスし、前記選択を受け付ける手段が受け付けた前記価値情報を利用する手段と、を備える情報処理システム。
２．  １に記載の情報処理システムにおいて、
前記異なる価値情報の利用の優先順位を予め登録する手段と、をさらに備え、
前記利用する手段は、前記登録する手段により登録された前記優先順位に従って、前記価値情報を利用する情報処理システム。
３．  １または２に記載の情報処理システムにおいて、
前記利用可能な価値情報のそれぞれの割引率を算出する手段を備える情報処理システム。
４．  ３に記載の情報処理システムにおいて、
前記利用する手段は、前記利用可能な価値情報の前記割引率の高い順に前記価値情報を利用する情報処理システム。
５．  １乃至４いずれかに記載の情報処理システムにおいて、
前記価値情報の利用履歴を記録する手段をさらに備え、
前記判断する手段は、前記価値情報の前記利用履歴を使用して前記利用状況を判断する情報処理システム。
６．  ５に記載の情報処理システムにおいて、
前記価値情報の前記利用履歴に基づいて、最適な価値情報を判別する手段を備える情報処理システム。
７．  ６に記載の情報処理システムにおいて、
前記利用する手段は、判別された前記最適な価値情報を自動的に利用する情報処理システム。
８．  １乃至７いずれかに記載の情報処理システムにおいて、
前記記録媒体は、前記ユーザの携帯端末に搭載され、
前記携帯端末は、
前記アクセス端末が前記記録媒体にアクセスできるように前記アクセス端末と無線通信する手段と、
前記利用可能な価値情報または当該価値情報に関する情報を前記ユーザに提示する手段と、
前記提示する手段により提示された前記利用可能な価値情報の中から利用する価値情報の選択を前記ユーザから受け付ける手段と、
選択された前記価値情報を、前記アクセス端末と通信して利用する手段と、を含む情報処理システム。
９．  １乃至８いずれかに記載の情報処理システムにおいて、
前記記録媒体は、磁気記録媒体、ＩＣ記録媒体、または、携帯端末に搭載されるＩＣ記録媒体である情報処理システム。
１０．  １乃至９いずれかに記載の情報処理システムにおいて、
前記価値情報は、プリペイド型電子マネー情報、クレジット情報、有価証券情報、デビット情報、ポイント情報、定期券情報、回数券情報、またはクーポン情報を含む情報処理システム。
１１．  １乃至１０いずれかに記載の情報処理システムにおいて、
前記アクセス端末は、前記記録媒体の前記価値情報を読み書きするリーダライタ装置を備えた自動改札機、券売機、レジ端末、自動販売機、ＰＯＳ端末、入出門ゲート、またはコンピュータを含む情報処理システム。
１２．  １乃至１１いずれかに記載の情報処理システムにおいて、
前記アクセス端末に接続された管理装置をさらに備え、
前記管理装置は、
前記記録媒体に記録されている前記価値情報を、前記アクセス端末を経由して受信する手段と、
前記価値情報を前記記録媒体の識別情報に関連付けてデータベースに蓄積する手段と、を備える情報処理システム。
１３．  異なる価値情報を格納する記録媒体と、
前記価値情報の利用状況を判断する手段と、
判断された前記価値情報の前記利用状況に従って、前記異なる価値情報の中から利用可能な価値情報を判別する手段と、
判別された前記利用可能な価値情報のいずれを利用するかの選択をユーザから受け付ける手段と、
アクセス端末からの前記記録媒体へのアクセスを受け付け、前記選択を受け付ける手段が受け付けた前記価値情報を利用させる手段と、を備える携帯端末。
１４．  異なる価値情報を格納する記録媒体において前記価値情報を利用する情報処理方法であって、
前記価値情報の利用状況を判断する手順、
判断された前記価値情報の前記利用状況に従って、前記異なる価値情報の中から利用可能な価値情報を判別する手順、
判別された前記利用可能な価値情報のいずれを利用するかの選択を前記記録媒体のユーザから受け付ける手順、
前記記録媒体の前記価値情報を利用するアクセス端末から前記記録媒体にアクセスさせ、前記選択を受け付ける手順で受け付けた前記価値情報を利用させる手順、を含む情報処理方法。
１５．  異なる価値情報を格納する記録媒体にアクセス可能なコンピュータに、
前記価値情報の利用状況を判断する手順、
判断された前記価値情報の前記利用状況に従って、前記異なる価値情報の中から利用可能な価値情報を判別する手順、
判別された前記利用可能な価値情報のいずれを利用するかの選択を前記記録媒体のユーザから受け付ける手順、
前記記録媒体の前記価値情報を利用するアクセス端末から前記記録媒体にアクセスさせ、前記選択を受け付ける手順で受け付けた前記価値情報を利用させる手順、を実行させるためのプログラム。
【図面の簡単な説明】
【０１０２】
【図１】本発明の実施の形態に係る情報処理システムの構成を示す機能ブロック図である。
【図２】図１の携帯端末装置のハードウェア構成を示すブロック図である。
【図３】本実施形態の情報処理システムの動作の一例を示すフローチャートである。
【図４】本発明の実施例の構成を示すブロック図である。
【図５】本発明の実施形態の情報処理システムのセンターデータベースの価値情報データベースの構造の一例を示す図である。
【図６】本実施例の情報処理システムの動作の一例を示すフローチャートである。
【図７】本発明の情報処理システムの表示部に表示される画面の例を示す図である。
【図８】本実施例の情報処理システムの動作の一例を示すフローチャートである。
【図９】本実施例の情報処理システムの動作の一例を示すフローチャートである。
【図１０】本実施例の情報処理システムの動作の一例を示すフローチャートである。
【符号の説明】
【０１０３】
１  情報処理システム
１００  携帯端末装置
１００ａ  ＩＣチップ付き携帯電話機
１１０  ＩＣチップ
１１２  価値情報記憶部
１１４  通信部
１１６  アクセス部
１２０  利用状況取得部
１２２  利用状況記憶部
１２４  判断部
１２６  判別部
１２８  優先順位記憶部
１３０  登録部
１４０  提示部
１４２  受付部
１４４  選択部
１５０  ＣＰＵ
１５２  ＲＯＭ
１５４  ＲＡＭ
１５６  通信部
１５８  移動通信用アンテナ
１６０  表示部
１６２  表示制御部
１６４  操作部
１６６  操作受付部
１６８  ＩＣチップ
１７０  ＩＣ用アンテナ
１７２  バス
１８０  端末ＩＤ記憶部
１８２  定期券情報
１８４  回数券情報
１８６  電子マネー情報
２００  リーダライタ装置
３００  自動改札機
４００  センターデータベース
４２０  価値情報データベース
４３０  端末別価値情報
４３１  端末ＩＤ
４３２  定期券情報
４３３  回数券情報
４３４  電子マネー情報
４３５  ポイント情報
５００  価値情報選択画面
５０２  操作指示メッセージ欄
５０４  利用可能価値情報選択欄
５２０  警告および選択画面
５２２  警告メッセージ欄
５２４  操作指示メッセージ欄
５２６  利用可能価値情報選択欄
５２８  推奨指示欄
【図１】
0005669167.tif 000002
【図２】
0005669167.tif 000003
【図３】
0005669167.tif 000004
【図４】
0005669167.tif 000005
【図５】
0005669167.tif 000006
【図６】
0005669167.tif 000007
【図７】
0005669167.tif 000008
【図８】
0005669167.tif 000009
【図９】
0005669167.tif 000010
【図１０】
0005669167.tif 000011